【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
同時陽圧換気を使用して患者にエアロゾル活性薬剤を送達するためのアダプターであって、
患者インターフェイスポートと、
エアロゾルフローチャネルであって、エアロゾル吸気ポートとエアロゾル排気ポートとを有し、前記エアロゾルフローチャネルは、前記エアロゾル吸気ポートと前記エアロゾル排気ポートとの間の長さを有し、前記エアロゾルフローチャネルは、当該エアロゾルフローチャネルの長さに沿ったエアロゾルフローを包囲するように構成されるものである、前記エアロゾルフローチャネルと、
前記患者インターフェイスポート及び前記エアロゾル排気ポートと流体連通する換気ガスフローチャネルであって、ガス吸気ポートとガス排気ポートとを有するものである、前記換気ガスフローチャネルと
を有し、
前記換気ガスフローチャネルは、前記エアロゾルフローチャネルから分離されているものであり、且つ少なくとも部分的に前記エアロゾル排気ポートから外れており、且つ、少なくとも部分的に前記エアロゾルフローチャネルを取り囲むものであることを特徴とするアダプター。
【請求項２】
請求項１記載のアダプターにおいて、このアダプターは、さらに、
前記エアロゾル吸気ポートにバルブを有するものである、アダプター。
【請求項３】
請求項２記載のアダプターにおいて、前記バルブは、陽圧換気を維持しながら、器具、カテーテル、チューブ、またはファイバーのうちの少なくとも１つを前記エアロゾルフローチャネルおよび前記患者インターフェイスポートの少なくとも１つの中へおよび経由させて導入することを可能にするのに十分な可撓性を有するものである、アダプター。
【請求項４】
請求項１記載のアダプターにおいて、前記エアロゾルフローチャネルは実質的に直線エアロゾル流路、曲線状エアロゾル流路、または角度を有するエアロゾル流路を定義するものである、アダプター。
【請求項５】
請求項１記載のアダプターにおいて、前記エアロゾルフローチャネルは実質的に均一の断面積を有するものである、アダプター。
【請求項６】
請求項１記載のアダプターにおいて、前記エアロゾルフローチャネルの前記エアロゾル吸気ポートは、前記患者インターフェイスポートより大きい断面積を有するものである、アダプター。
【請求項７】
請求項１記載のアダプターにおいて、前記エアロゾル排気ポートは前記患者インターフェイスポートであり、前記換気ガスフローチャネルと前記患者インターフェイスポートとの間の流体連通は、少なくとも１つの開口部を介して起こるものである、アダプター。
【請求項８】
請求項１記載のアダプターにおいて、前記換気ガスフローチャネルは、前記ガス吸気ポート、前記ガス排気ポート、および前記患者インターフェイスポートを含むチャンバーを形成し、前記エアロゾルフローチャネルは、前記チャンバー内に入れ子にされ、且つ前記チャンバーの一端の前記エアロゾル吸気ポートから前記チャンバーを経由して前記チャンバー内の前記エアロゾル排気ポートまで延長しており、これにより前記エアロゾル排気ポートが前記チャンバーの反対端の前記患者インターフェイスポートより奥に位置するものであり、さらに前記エアロゾルフローチャネルは、前記ガス吸気ポートから前記チャンバーへのガスの入口の下方に、且つ前記チャンバーから前記ガス排気ポートへのガスの出口の下方に延出する十分な長さである、アダプター。
【請求項９】
請求項８記載のアダプターにおいて、前記エアロゾル排気ポートは前記患者インターフェイスポートから少なくとも約８ミリメートル奥に位置するものである、アダプター。
【請求項１０】
請求項８記載のアダプターにおいて、前記チャンバーは、前記エアロゾル排気ポートと前記患者インターフェイスポートとの間に少なくとも約１．４ミリリットルの容積を有するものである、アダプター。
【請求項１１】
請求項８記載のアダプターにおいて、このアダプターは、さらに、
前記エアロゾル排気ポートに一方向バルブを有するものである、アダプター。
【請求項１２】
同時陽圧換気を使用して推進エアロゾル活性薬剤を患者に送達するシステムであって、
ａ）加圧換気ガスを生成する陽圧発生装置と、前記加圧換気ガスを前記患者に送達し且つ前記患者からの呼気ガス流を誘導する送達導管とを有する陽圧換気回路と、
ｂ）エアロゾル活性薬剤を生成する前記エアロゾル発生装置と、
ｃ）前記換気ガスおよび前記エアロゾル活性薬剤を前記患者に送達する患者インターフェイスと、
ｄ）前記陽圧換気回路、前記エアロゾル発生装置、および前記患者インターフェイスに連通するアダプターであって、このアダプターは、ｉ）患者インターフェイスポートと、ｉｉ）エアロゾルフローチャネルであって、エアロゾル吸気ポートとエアロゾル排気ポートとを有し、前記エアロゾルフローチャネルは、前記エアロゾル吸気ポートと前記エアロゾル排気ポートとの間の長さを有し、前記エアロゾルフローチャネルは、当該エアロゾルフローチャネルの長さに沿ったエアロゾルフローを包囲するように構成されるものである、前記エアロゾルフローチャネルと、ｉｉｉ）前記患者インターフェイスポート及び前記エアロゾル排気ポートと流体連通する換気ガスフローチャネルであって、ガス吸気ポートとガス排気ポートとを有し、前記換気ガスフローチャネルは、前記エアロゾルフローチャネルから分離されているものであり、且つ少なくとも部分的に前記エアロゾル排気ポートから外れており、且つ少なくとも部分的に前記エアロゾルフローチャネルを取り囲むものである、前記換気ガスフローチャネルとを有するものである、前記アダプターと、
ｅ）前記エアロゾル発生装置と連通して、前記推進エアロゾル活性薬剤を生成するようになっているエアロゾル・エントレインメント・チャンバーと、
ｆ）前記送達導管と連通する、前記加圧換気ガスを前記患者に送達する補助回路であって、前記送達導管および前記エアロゾル・エントレインメント・チャンバーに接続する第１の補助導管と、前記エアロゾル・エントレインメント・チャンバーおよび前記アダプターに接続する第２の補助導管とを有するものである、前記補助回路と
を有し、
前記第１の補助導管は、推進エアロゾル活性薬剤の送達のためのシースガスとして使用されるため前記アダプターへ向けられた前記加圧換気ガスの主流から取り出された前記加圧換気ガスの一部を収容し、且つ、当該加圧換気ガスの一部を前記エアロゾル・エントレインメント・チャンバーに送達するようになっているものであり、これにより前記エアロゾル活性薬剤と結合して前記推進エアロゾル活性薬剤を形成するものであり、前記第２の補助導管は、前記推進エアロゾル活性薬剤を前記患者に送達するようになっているものであることを特徴とするシステム。
【請求項１３】
請求項１２記載のシステムにおいて、前記換気ガスフローチャネルは、前記ガス吸気ポートと前記ガス排気ポートと前記患者インターフェイスポートとを含むチャンバーを形成するものであり、前記エアロゾルフローチャネルは、前記チャンバー内に入れ子にされ、且つ前記チャンバーの一端の前記エアロゾル吸気ポートから前記チャンバーを経由して前記チャンバー内の前記エアロゾル排気ポートまで延長しており、これにより前記エアロゾル排気ポートが前記チャンバーの反対端の前記患者インターフェイスポートより奥に位置するものであり、前記エアロゾルフローチャネルは、前記ガス吸気ポートから前記チャンバーへのガスの入口の下方に、且つ前記チャンバーから前記ガス排気ポートへのガスの出口の下方に延出する十分な長さのものである、システム。
【請求項１４】
請求項１３記載のシステムにおいて、前記アダプターは、前記エアロゾル吸気ポートにバルブをさらに有するものである、システム。
【請求項１５】
請求項１２記載のシステムにおいて、前記第２の補助導管の長さはゼロであり、前記エアロゾル・エントレインメント・チャンバーは、前記アダプターの前記エアロゾル吸気ポートに直接連結するものである、システム。
【請求項１６】
請求項１２記載のシステムにおいて、前記補助回路は、前記患者の最大吸気流に基づいて前記加圧換気ガスの一部を量り分けるコネクタを有するものである、システム。
【請求項１７】
請求項１２記載のシステムにおいて、前記補助回路は、さらに、前記シースガスの流れを制御する流量制限器を有するものであり、これにより前記シースガスの流れは前記患者の最大吸気流と同じか又はそれよりも高くなるものである、システム。